(57)【要約】【課題】可搬性が良好で安価に製造でき、特に傘の保持に関して使用者の着座時の両手の自由度を向上させる。【解決手段】傘布結束状態保持具１は、伸縮可能な本体部１０、板状部２０、固定部３０を備える。開いた状態の傘９を閉じて傘布８を畳み、予め環状に変形させて固定部３０によりその状態を保持させておいた本体部１０の環を、傘９が環内に入るように挿入して傘布８の結束状態を保持する。本体部１０は、自身の収縮力により傘布８を外周側から締め付けるように取り付けられるので、使用時において傘布８が広がることはない。傘布８の結束状態を保持している傘布結束状態保持具１の板状部２０を、座面９２と使用者９１の太股９１ａとの間に介挿して押さえれば、振動などにより倒れることなく傘９を支持することができる。【選択図】図３
0003170967.tif 000002
【実用新案登録請求の範囲】
【請求項１】
傘の傘布を結束した状態に保持する傘布結束状態保持具であって、
伸縮可能且つ少なくとも閉ループ状に変形可能な本体部と、
前記本体部の第１の部分に取り付けられた板状部と、
前記本体部の第２の部分に取り付けられ、前記本体部のいずれかの部分に固定可能な固定部とを備えた
ことを特徴とする傘布結束状態保持具。
【請求項２】
前記第１の部分は、前記本体部の一端部であり、
前記第２の部分は、前記本体部の他端部であり、
前記固定部は、前記本体部を挟持可能なクリップである
ことを特徴とする請求項１記載の傘布結束状態保持具。
【請求項３】
前記第１の部分は、前記本体部の一端部であり、
前記第２の部分は、前記本体部の他端部であり、
前記固定部は、前記板状部と前記一端部との間に設けられたリングと、前記他端部に設けられて前記リングと接続される引き輪とからなる
ことを特徴とする請求項１記載の傘布結束状態保持具。
【請求項４】
前記本体部は、螺旋状に成形された紐状の弾性部材からなる
ことを特徴とする請求項１〜３のいずれか１項記載の傘布結束状態保持具。
【請求項５】
前記板状部は、座席に着座した人体と座面との間に介挿されて押さえられ、前記本体部により傘布の結束状態が保持された傘を支持する傘支持機能を備える
ことを特徴とする請求項１〜４のいずれか１項記載の傘布結束状態保持具。
【考案の詳細な説明】
【技術分野】
【０００１】
この考案は、傘を閉じて傘布を畳んだ状態を保持する傘布結束状態保持具に関する。
【背景技術】
【０００２】
従来より、傘を閉じて傘布を畳んだ状態にするものとして、例えば下記特許文献１〜９に開示されているものが知られている。これらは、傘の使用者が傘布を畳む際に手が濡れることを防いだり、容易に傘布を畳んだりすることができるものとされている。
【先行技術文献】
【特許文献】
【０００３】
【特許文献１】特開平９−３７８２６号公報
【特許文献２】特開平９−３２７３１８号公報
【特許文献３】特開平１０−５７１２８号公報
【特許文献４】特開平１０−１１７８２３号公報
【特許文献５】特開２０００−３４２３１５号公報
【特許文献６】特開２００１−９５６１２号公報
【特許文献７】特開２００２−３２０５１０号公報
【特許文献８】特開２００５−３２３８９１号公報
【特許文献９】特開２００７−７５２７０号公報
【考案の概要】
【考案が解決しようとする課題】
【０００４】
しかしながら、上記特許文献１〜９に開示されたものでは、特許文献６のものを除いて未使用時の可搬性が著しく良好であるとは言い難い。また、特許文献６のものであってもその形状が傘布を畳んだ状態の傘の外径よりも大きなリング状のものとなる。このため、未使用時に傘の手元や柄などに取り付けたとしても、やはり運搬時などには邪魔になる可能性が否めない。
【０００５】
更に、これらのものは、傘布を畳んだ状態にすることのみに主眼を置いているため、例えば使用者が電車などの座席に着座した場合に、傘布を畳んだ状態の傘を手で持って保持する必要が生じる。この場合、傘の保持に関する使用者の負担は、着座していない時と余り変わらず、両手の自由度が制限されてしまうという問題がある。
【０００６】
この考案は、上述した従来技術による問題点を解消するため、可搬性が良好で安価に製造でき、特に傘の保持に関して使用者の着座時の両手の自由度を向上させることができる構造を備えた傘布結束状態保持具を提供することを目的とする。
【課題を解決するための手段】
【０００７】
上述した課題を解決し、目的を達成するため、本考案に係る傘布結束状態保持具は、傘の傘布を結束した状態に保持する傘布結束状態保持具であって、伸縮可能且つ少なくとも閉ループ状に変形可能な本体部と、前記本体部の第１の部分に取り付けられた板状部と、前記本体部の第２の部分に取り付けられ、前記本体部のいずれかの部分に固定可能な固定部とを備えたことを特徴とする。
【０００８】
本考案の一つの実施形態においては、前記第１の部分が、前記本体部の一端部であり、前記第２の部分が、前記本体部の他端部であり、前記固定部が、前記本体部を挟持可能なクリップである。
【０００９】
本考案の他の実施形態においては、前記第１の部分が、前記本体部の一端部であり、前記第２の部分が、前記本体部の他端部であり、前記固定部が、前記板状部と前記一端部との間に設けられたリングと、前記他端部に設けられて前記リングと接続される引き輪とからなる。
【００１０】
本考案の更に他の実施形態においては、前記本体部が、螺旋状に成形された紐状の弾性部材からなる。
【００１１】
本考案の更に他の実施形態においては、前記板状部が、座席に着座した人体と座面との間に介挿されて押さえられ、前記本体部により傘布の結束状態が保持された傘を支持する傘支持機能を備える。
【考案の効果】
【００１２】
本考案によれば、可搬性が良好で安価に製造でき、特に傘の保持に関して使用者の着座時の両手の自由度を向上させることができる。
【図面の簡単な説明】
【００１３】
【図１】本考案の一実施形態に係る傘布結束状態保持具を示す側面である。
【図２】同傘布結束状態保持具の使用時の状態を示す説明図である。
【図３】同傘布結束状態保持具の使用時の他の状態を示す説明図である。
【図４】同傘布結束状態保持具の未使用時の状態を示す説明図である。
【図５】本考案の一実施形態に係る他の傘布結束状態保持具を示す側面である。
【図６】本考案の他の実施形態に係る傘布結束状態保持具を示す側面である。
【図７】本考案の他の実施形態に係る他の傘布結束状態保持具を示す側面である。
【図８】板状部のバリエーションを示す図である。
【考案を実施するための形態】
【００１４】
以下、添付の図面を参照して、この考案に係る傘布結束状態保持具の好適な実施の形態を詳細に説明する。
【００１５】
図１は、本考案の一実施形態に係る傘布結束状態保持具を示す側面である。図２は、傘布結束状態保持具の使用時の状態を示す説明図である。図１及び図２に示すように、本実施形態に係る傘布結束状態保持具１は、傘９を閉じて傘布８を畳んだ状態（結束状態）に保持するためのものである。
【００１６】
傘布結束状態保持具１は、伸縮可能且つ少なくとも閉ループ状に変形可能な本体部１０を備える。また、傘布結束状態保持具１は、例えば本体部１０の一端側に取り付けられた板状部２０と、本体部１０の他端側に取り付けられ、本体部１０のいずれかの部分に固定可能な固定部３０とを備える。
【００１７】
本体部１０は、本例では螺旋状に成形された樹脂などの紐状の弾性部材からなる。この本体部１０の両端部１０ａ，１０ｂは、それぞれ端末加工が施されており、一方の端部１０ａには、例えば板状部２０を取り付けるための紐部１０ｃが一体成形により取り付けられている。
【００１８】
紐部１０ｃは、例えば環状に形成されている。板状部２０に形成された取付孔２０ａにこの紐部１０ｃを通して、その環の内側に本体部１０を他方の端部１０ｂ側から挿入して引っ張ることにより結ばれて、板状部２０と本体部１０とを直線状に連結する。紐部１０ｃは、直線状になった際の長さｍが例えば１０ｃｍ以下となるように形成されている。また、本体部１０の他方の端部１０ｂには、例えば固定部３０を取り付けるための孔部１０ｄが先端側に形成された取付片１０ｅが一体成形により形成されている。
【００１９】
板状部２０は、プラスチックなどを正方形や長方形などの矩形板状、或いは円形や楕円形などの円板状に形成してなる。板状部２０は、後述するように、使用者の太股と椅子などの座面との間に挟むのに好適な大きさにされている。例えばその長さＬは約５ｃｍ〜１０ｃｍであり、幅Ｄは約３ｃｍ〜６ｃｍであり、厚さＨは約５ｍｍ以下である。この板状部２０は、更に後述する傘支持機能を備える。
【００２０】
固定部３０は、例えば板状部２０、紐部１０ｃ又は本体部１０のいずれかを挟持可能なクリップからなり、傘９に本体部１０を装着した際に本体部１０の閉ループ状態を固定保持する。この固定部３０は、その他、使用者の洋服のポケットなどの任意の被取付箇所に、傘布結束状態保持具１を装着するために用いられ得る。
【００２１】
このように構成された傘布結束状態保持具１は、使用状態においては、図２に示すように、開いた状態の傘９を閉じて傘布８を畳んだときに、予め環状（閉ループ状）に変形させて固定部３０によりその状態を保持させておいた本体部１０の環を、例えば傘９の手元６側から傘９が環内に入るように挿入して傘布８の結束状態を保持するために用いられる。本体部１０は、自身の収縮力により傘布８を外周側から締め付けるように取り付けられるので、使用時において傘布８が広がってしまうことはない。その他、傘布結束状態保持具１は、傘布８の外周側に本体部１０を巻きつけてその結束状態を保持するように用いられてもよい。この場合、巻きつけられて閉ループ状態に変形した本体部１０は、固定部３０を本体部１０等に取り付けることにより保持される。
【００２２】
なお、傘布結束状態保持具１は、単に傘布８の結束状態を保持するだけでなく、図３に示すように、例えば自動車や電車などの車両の座席９０や、その他カフェ等の椅子などに使用者９１が着座した場合に、傘９を支持するために用いることもできる。この場合、傘布８の結束状態を保持している傘布結束状態保持具１の板状部２０を、座面９２と使用者９１の太股９１ａとの間に介挿して押さえれば、例えばこの板状部２０と傘９の石突７の先端とを支持支点として、傘９を支持することができる。また、本体部１０が伸縮可能な弾性部材からなるため、傘９に対して加わる振動などの外力を良好に吸収しつつ支持することが可能で、本実施形態に係る傘布結束状態保持具１によれば、図３に示すような傘９の支持状態において、傘９が倒れることは皆無である。
【００２３】
このような場合、使用者９１は少なくともいずれかの手で傘９を支持する必要がなくなるため、両手が自由な状態を確保することができるので、着座時における使用者９１の両手の自由度を向上させることができる。なお、この傘支持機能は、長さが短い折り畳み傘などにおいて板状部２０のみを支持支点としても発揮することができる。
【００２４】
また、傘布結束状態保持具１は、未使用状態においては、図４に示すように、傘９の手元６に本体部１０を螺旋状或いは複数回巻き付けて固定部３０を固定して保持するようにすれば、使用者に邪魔にならずに傘９と共に運搬することができる。そして、傘布結束状態保持具１を構成する各構成部は、安価な材料や部品により形成することができる。
【００２５】
従って、本実施形態に係る傘布結束状態保持具１によれば、使用時及び未使用時における可搬性が非常に良好で、更に安価に製造でき、特に傘９の保持に関して使用者の着座時の両手の自由度を著しく向上させることが可能である。
【００２６】
図５は、本考案の一実施形態に係る他の傘布結束状態保持具を示す側面である。図５に示すように、この傘布結束状態保持具１Ａは、先の傘布結束状態保持具１と本体部１０の構造が相違している。すなわち、本体部１０は、螺旋状ではなく直線状に成形された樹脂などの弾性部材からなる。このように構成しても、上記傘布結束状態保持具１と同様の作用効果を有することができる。
【００２７】
図６は、本考案の他の実施形態に係る傘布結束状態保持具を示す側面である。図６に示すように、この傘布結束状態保持具１Ｂは、先の傘布結束状態保持具１と固定部３０Ａ，３０Ｂの構造が相違している。すなわち、固定部３０Ａは、例えば本体部１０の一方の端部１０ａに形成された孔部１０ｆに取り付けられた硬化樹脂や金属等のリングからなり、固定部３０Ｂは、固定部３０Ａに取り付けられる公知の引き輪からなる。固定部３０Ｂは、その他、スプリングロックやカラビナ等からなるものでもよい。なお、固定部３０Ａの端部１０ａと取付孔２０ａとの間の長さｎは、上記紐部１０ｃの長さｍと同様に例えば１０ｃｍ以下となるように設定されている。このように構成しても、上記傘布結束状態保持具１，１Ａと同様の作用効果を有することができる。
【００２８】
図７は、本考案の他の実施形態に係る他の傘布結束状態保持具を示す側面図である。図７に示すように、この傘布結束状態保持具１Ｃは、先の傘布結束状態保持具１Ｂと本体部１０の構造が相違している。すなわち、本体部１０は、螺旋状ではなく直線状に成形された樹脂などの弾性部材からなる。このように構成しても、上記傘布結束状態保持具１Ｂと同様の作用効果を有することができる。
【００２９】
図８は、上述した実施形態に係る傘布結束状態保持具１等の板状部２０のバリエーションを示す図である。図８（ａ）に示すように、板状部２０は、少なくとも片方の板面２９上に形成された、識別情報としての模様２１などを備えてもよい。この模様２１は、例えば印刷されたり、彫り込まれたりして形成される。
【００３０】
また、図８（ｂ）に示すように、板状部２０は、少なくとも片方の板面２９上に、識別情報としての文字２３が表示される情報表示部２２を備えてよい。文字２３は、情報表示部２２に直接書かれたり、シールなどで貼り付けられる。また、文字２３の代わりに、図形や記号などが表示されてもよい。
【００３１】
更に、図８（ｃ）に示すように、板状部２０は、少なくとも片方の板面２９側に、識別情報としての写真２５を装着して表示可能なポケット部２４を備えていてもよい。ポケット部２４には、写真２５の他に種々の紙状部材を装着することができる。これら識別情報は、例えば傘９の所有者を示したりする、傘９に関連する様々な情報を少なくとも使用者が識別できるものである。その他、板状部２０は、種々の色をもって形成されてもよい。
【００３２】
なお、上述した実施形態に係る傘布結束状態保持具１，１Ａ，１Ｂ，１Ｃは、本体部１０の両端部１０ａ，１０ｂ側にそれぞれ板状部２０や固定部３０等を設けた構成としたが、これらは、本体部１０の両端部１０ａ，１０ｂ側ではなく、中間部などのその他の部位に設けられていてもよい。
【符号の説明】
【００３３】
１          傘布結束状態保持具
６          手元
７          石突
８          傘布
９          傘
１０        本体部
２０        板状部
３０        固定部
【図１】
0003170967.tif 000003
【図２】
0003170967.tif 000004
【図３】
0003170967.tif 000005
【図４】
0003170967.tif 000006
【図５】
0003170967.tif 000007
【図６】
0003170967.tif 000008
【図７】
0003170967.tif 000009
【図８】
0003170967.tif 000010